(57)【要約】光増幅器が設置された光増幅システムのコスト及び消費電力を低減するために、励起光分配装置は、励起光を出力する励起光源出力手段と、励起光を分岐して出力する、分岐比が可変である光分岐手段と、光分岐手段が出力する励起光によって増幅される光信号の情報に基づいて、光分岐手段の分岐比及び励起光源出力手段の光出力電力の少なくとも一方を制御する制御手段と、を備える。
2012053320.tif 000002
【特許請求の範囲】
【請求項１】
励起光を出力する励起光源出力手段と、
前記励起光を分岐して出力する、分岐比が可変である光分岐手段と、
前記光分岐手段が出力する励起光によって増幅される光信号の情報に基づいて、前記光分岐手段の分岐比及び前記励起光源出力手段の光出力電力の少なくとも一方を制御する制御手段と、
を備えた励起光分配装置。
【請求項２】
前記制御手段は、前記光分岐手段が出力する励起光により増幅される光信号の数及び前記光信号が伝送される光路の情報に基づいて、前記光分岐手段の分岐比及び前記励起光源出力手段の前記光出力電力の少なくとも一方を制御する、請求項１に記載された励起光分配装置。
【請求項３】
前記光分岐手段は、
前記光分岐手段から出力される前記励起光の電力をモニタして前記励起光の強度に対応する励起光モニタ信号を出力する励起光モニタ手段を備え、
前記制御手段は、前記励起光モニタ信号に基づいて前記励起光源出力手段が出力する前記励起光の電力及び前記光分岐手段の分岐比を制御する、
請求項１又は２に記載された励起光分配装置。
【請求項４】
請求項１乃至３のいずれかに記載された励起光分配装置と、
光信号及び前記励起光分配装置から出力される励起光を入力することによって前記光信号を増幅して出力する増幅手段と、
を備えた光増幅システム。
【請求項５】
前記光信号が伝送される光路毎に前記増幅手段が備えられている、請求項４に記載された光増幅システム。
【請求項６】
前記増幅手段に入力される前記励起光の強度を減衰させる光減衰手段と、
前記光減衰手段の減衰量を制御するゲインブロック制御手段と、
をさらに備える、請求項４又は５に記載された光増幅システム。
【請求項７】
前記増幅手段の出力における前記光信号の強度をモニタして前記光信号の強度に対応する光モニタ信号を出力する光信号モニタ手段をさらに備え、
前記ゲインブロック制御手段は、前記光モニタ信号に基づいて前記光減衰手段の減衰量を制御する、請求項４乃至６のいずれかに記載された光増幅システム。
【請求項８】
入力された光信号を増幅する請求項４乃至７のいずれかに記載された光増幅システムと、
前記光増幅システムによって増幅された前記光信号を波長毎に分離して所定の光路に出力するトランスポンダ収容部と、
を備えるノード装置。
【請求項９】
光送信手段から出力される光信号を波長多重して所定の光路に出力するトランスポンダ収容手段と、
前記所定の光路に出力された前記光信号を増幅する請求項４乃至７のいずれかに記載された光増幅システムと、
を備えるノード装置。
【請求項１０】
前記励起光を分岐して出力し、
分岐して出力された前記励起光によって増幅される光信号の情報に基づいて、前記励起光の分岐比及び前記励起光の光出力電力の少なくとも一方を制御する、
励起光分配方法。
【発明の詳細な説明】
【技術分野】
【０００１】
本発明は光増幅システムに関し、特に、励起光分配装置、励起光分配方法、光増幅システム及びノード装置に関する。
【背景技術】
【０００２】
光通信のコア網においてＰｏｉｎｔ−ｔｏ−ｐｏｉｎｔの大容量接続を提供するＷＤＭ（Ｗａｖｅｌｅｎｇｔｈ  Ｄｉｖｉｓｉｏｎ  Ｍｕｌｔｉｐｌｅｘｉｎｇ）及びＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）システムが導入されている。これに続いて、メトロ網及び地域網に対してもＷＤＭ及びＲＯＡＤＭシステムの導入が進んでいる。
ＲＯＡＤＭシステムのノードにおいては、ノード内に配置されあるいはノードに接続されるトランスポンダと、トランスポンダと接続される方路との間の光路が、任意のパス及び波長で接続される。すなわち、ＲＯＡＤＭノードは、複数の伝送路で送受信される波長多重された光信号のうち、特定の波長の光信号を特定のトランスポンダに接続する機能を備える。
図６は、本発明に関連するＲＯＡＤＭネットワークの一形態を示す図である。
ＲＯＡＤＭノード６０１は、複数の光ファイバ伝送路６０２を介してそれぞれ他のＲＯＡＤＭノード６０３及び６０４と接続されている。そして、ＲＯＡＤＭノード６０１は、伝送する光信号の波長ごとに、他のＲＯＡＤＭノード６０３及び６０４と光信号を送受信するように制御される。
また、ＲＯＡＤＭノード６０１は、トランスポンダ６０６の光送信器が送信する光信号を波長多重して光ファイバ伝送路６０２に送出する。ＲＯＡＤＭノード６０１と対向する他のＲＯＡＤＭノードは、受信した波長多重光を波長分離する。そして、当該他のＲＯＡＤＭノードに接続されたトランスポンダの光受信機は、波長分離された光信号を受信する。
図７は、図６に示したＲＯＡＤＭノード６０１の構成をより詳細に説明するための図である。図７において、ＲＯＡＤＭノード６０１は、波長パス・ライン多重分離部７２３、トランスポンダ収容部７２１及び７２２、並びに制御部７３２を備えている。
波長パス・ライン多重分離部７２３は、伝送路７０１から受信した波長多重光信号のうち、所定の波長の光信号のみを分離（Ｄｒｏｐ）してトランスポンダ収容部７２１に出力する。波長パス・ライン多重分離部７２３とトランスポンダ収容部７２１とは複数の方路７６１で接続されている。
また、波長パス・ライン多重分離部７２３は、トランスポンダ収容部７２２が出力した波長多重光信号を、伝送路７１１に多重（Ａｄｄ）する。波長パス・ライン多重分離部７２３とトランスポンダ収容部７２２とは複数の方路７７１で接続されている。
そして、ＲＯＡＤＭノード６０１の動作状態により、それぞれの方路７６１及び７７１に含まれる光信号の波長数は変化する。
トランスポンダ収容部７２１は、伝送路７０１からＤｒｏｐされた光信号を、１台以上のトランスポンダ７５１のうち所定のトランスポンダが受信するように方路７６１とトランスポンダ７５１とを接続する。
トランスポンダ収容部７２２は、トランスポンダ７５１が送信する光信号が伝送路７１１の所定の伝送路へＡｄｄされるように方路７７１とトランスポンダ７５１とを接続する。
ここで、図７における伝送路７０１及び７１１は、図６の光ファイバ伝送路６０２に対応する。
制御部７３２は、ＲＯＡＤＭノード７０１の各部を制御する。すなわち、制御部７３２は、伝送路７０１及び７１１で伝送される波長多重された光信号のうち、ＤｒｏｐあるいはＡｄｄの対象となる光信号がトランスポンダ収容部７２１又は７２２に接続されるように波長パス・ライン多重分離部７２３を制御する。
また、制御部７３２は、波長パス・ライン多重分離部７２３からＤｒｏｐされた光信号が、トランスポンダ７５１のうち所定のトランスポンダで受信されるようにトランスポンダ収容部７２１を制御する。
さらに、制御部７３２は、トランスポンダ７５１が送信した光信号が、それぞれ波長パス・ライン多重分離部７２３において伝送路７１１のうち所定の伝送路にＡｄｄされるように、トランスポンダ収容部７２２を制御する。
トランスポンダ収容部７２１及び７２２に求められる、任意の方路とトランスポンダとの間を接続する機能を備えた光デバイスとして、非特許文献１に記載されたマルチキャストスイッチがある。非特許文献１は、４本の方路に対して８台のトランスポンダが接続可能なマルチキャストスイッチを記載している。
図８は、本発明に関連する、マルチキャストスイッチを用いたトランスポンダ収容部の構成を示す図である。図８では、説明を簡単にするために、トランスポンダ収容部８０６に４台のトランスポンダ（ＴＰＮＤ）８０４−１〜８０４−４が接続されている場合について説明する。
図８に記載されたトランスポンダ収容部８０６は、マルチキャストスイッチ８０５及び波長可変フィルタ８０３−１〜８０３−４を備える。マルチキャストスイッチ８０５は、１×４スプリッタ８０１−１〜８０１−４及び４×１スイッチ８０２−１〜８０２−４を備える。ここで、マルチキャストスイッチ８０５は、接続可能なトランスポンダの数が４台である点で非特許文献１に記載されたマルチキャストスイッチと異なる。しかし、図８に記載されたマルチキャストスイッチ８０５の基本的な動作は、非特許文献１に記載されたマルチキャストスイッチと同様である。
図８において、波長多重された光は、方路＃１〜＃４からトランスポンダ収容部８０６に入力される。トランスポンダ収容部８０６に入力された波長多重光は、マルチキャストスイッチ８０５が備える１×４スプリッタ８０１−１〜８０１−４によって４分岐される。そして、分岐された波長多重光は、４×１スイッチ８０２−１〜８０２−４に入力される。マルチキャストスイッチ８０５は、接続されるトランスポンダ数と同数の４×１スイッチを備える。図８においては、マルチキャストスイッチ８０５に接続されるトランスポンダは４台であるので、マルチキャストスイッチ８０５は、４個の４×１スイッチを備える。
４×１スイッチ８０２−１〜８０２−４は、１×４スプリッタ８０１−１〜８０１−４から入力される光路のいずれかを選択して、選択した光路を波長可変フィルタ８０３−１〜８０３−４と接続する。その結果、選択された光路に接続された１×４スプリッタから出力される波長多重光が、４×１スイッチを経由して波長可変フィルタに出力される。
波長可変フィルタ８０３−１〜８０３−４の透過波長は、接続されたトランスポンダが受信しようとする光の波長と一致するように設定される。波長可変フィルタ８０３−１〜８０３−４の作用によって、トランスポンダ８０４−１〜８０４−４は、波長多重光に含まれる複数の波長の光から、目的とする波長の光のみを抽出して受信することができる。
図８に記載された構成においては、１×４スプリッタ８０１−１〜８０１−４および４×１光スイッチ８０２−１〜８０２−４において、それぞれ分岐損失及び通過損失が発生する。このような損失を補償するために、光アンプをすべての方路に対して配備する構成が考えられる。
図９は、トランスポンダ収容部に接続される方路に光アンプを配置した構成を示す図である。図９においては、図８に示すトランスポンダ収容部８０６の各方路に、損失補償のための光アンプ９０７−１〜９０７−４が配置されている。光アンプ９０７−１〜９０７−４は、典型的には希土類元素を添加した光ファイバを増幅媒体とした光ファイバアンプである。光アンプ９０７−１〜９０７−４は、増幅媒体となる光ファイバ及び励起光源をそれぞれの内部に備えており、励起光源の出力パワーを制御することで光アンプ９０７−１〜９０７−４の出力レベルあるいは利得を制御する。
トランスポンダ収容部８０６は、１方路あたり４波長を収容し、４方路に対応しているものとする。そして、トランスポンダ４台を収容するトランスポンダ収容部に接続される方路＃１〜＃４すべてに光アンプ９０７−１〜９０７−４が配備されている。
図９に示す構成において、１台の光アンプで増幅される波長数は、トランスポンダの使用状況、すなわち運用時の方路および波長が選択される状況によって、最小で０、最大でトランスポンダ収容数となる。たとえば、トランスポンダ数が４台の場合は、全てのトランスポンダが１方路で使用される場合の４波長が、１台の光アンプに要求される最大の増幅性能となる。一方、実際の運用においては、トランスポンダで実際に受信される波長の光信号のみが方路＃１〜＃４から光アンプ９０７−１〜９０７−４を通過してトランスポンダ収容部８０６に入力される場合が多い。すなわち、全ての光アンプ９０７−１〜９０７−４において４波長が同時に増幅されるとは限らない。
なお、本発明に関連する特許文献１は、可変分岐器を用いて励起光を分配し、分配された励起光をそれぞれ異なる光増幅手段のために用いる構成を記載している。
【先行技術文献】
【特許文献】
【０００３】
【特許文献１】特開２００３−２８３０１９号公報
【非特許文献】
【０００４】
【非特許文献１】“Ｎ×Ｍ  Ｅｘｐａｎｄａｂｌｅ  Ｍｕｌｔｉｃａｓｔ  Ｓｗｉｔｃｈ  Ｍｏｄｕｌｅ”、［ｏｎｌｉｎｅ］、２００８−２００９年、Ｅｎａｂｌｅｎｃｅ社Ｗｅｂサイト、［２０１０年１０月５日検索］、インターネット、＜ｈｔｔｐ：／／ｗｗｗ．ｅｎａｂｌｅｎｃｅ．ｃｏｍ／ｍｅｄｉａ／ｐｄｆ／ｅｎａｂｌｅｎｃｅ＿ｉｍｓ＿ｍｕｌｔｉｃａｓｔ＿ｓｗｉｔｃｈ．ｐｄｆ＞
【発明の開示】
【発明が解決しようとする課題】
【０００５】
しかしながら、図９に示したトランスポンダ収容部には、以下の課題がある。
第１の課題は、運用されている波長数（すなわち増幅が必要な波長数）当たりの光アンプのコストが高くなることである。
その理由は、トランスポンダ数に等しい波長を１台の光アンプで増幅する必要がない場合においても、各光路に配置された光アンプには、少なくともトランスポンダ数と同数の波長の光信号を増幅する能力がそれぞれ必要とされるからである。高性能な光アンプには、高出力な励起光源や低損失な光部品が必要であり、これらの部品により光アンプのコストが上昇する。
第２の課題は、ＲＯＡＤＭノードの消費電力及び待機電力が多くなることである。
その理由は、高速な波長設定・波長切替を実現するためには、被増幅波長の多寡及び有無に関わらず、全ての光アンプの励起レーザの発振波長を所定の波長に安定化させるために、温度調節機能を常時動作させておく必要があるからである。この場合、光アンプの数量の増大とともに励起レーザの個数も増加するため、それに伴い各光アンプにおける励起レーザの制御回路の消費電力も増加する。
［発明の目的］
本発明の目的は、光増幅器が設置された光増幅システムのコスト及び消費電力を低減するという課題を解決するための技術を提供することにある。
【課題を解決するための手段】
【０００６】
本発明の励起光分配装置は、励起光を出力する励起光源出力手段と、励起光を分岐して出力する、分岐比が可変である光分岐手段と、光分岐手段が出力する励起光によって増幅される光信号の情報に基づいて、光分岐手段の分岐比及び励起光源出力手段の光出力電力の少なくとも一方を制御する制御手段と、を備える。
本発明の励起光分配方法は、励起光を出力し、励起光を分岐して出力し、分岐して出力された励起光によって増幅される光信号の情報に基づいて、励起光の分岐比及び励起光の光出力電力の少なくとも一方を制御する。
【発明の効果】
【０００７】
本発明は、光増幅器が設置された光増幅システムのコスト及び消費電力を低減するという効果を奏する。
【図面の簡単な説明】
【０００８】
【図１】本発明の第１の実施形態の光増幅システムの構成を示す図である。
【図２】第１の実施形態の光増幅システムのより詳細な構成を示す図である。
【図３Ａ】第１の実施形態の光増幅システムの励起光分配部の動作を示す図である。
【図３Ｂ】第１の実施形態の光増幅システムの励起光分配部の動作を示す図である。
【図３Ｃ】第１の実施形態の光増幅システムの励起光分配部の動作を示す図である。
【図４】本発明の光増幅システムの第２の実施形態の構成を示す図である。
【図５】本発明の光増幅システムの第３の実施形態の構成を示す図である。
【図６】本発明に関連するＲＯＡＤＭネットワークの一形態を示す図である。
【図７】ＲＯＡＤＭノードの構成をより詳細に説明するための図である。
【図８】本発明に関連する、マルチキャストスイッチを用いたトランスポンダ収容部の構成を示す図である。
【図９】トランスポンダ収容部に接続される方路に光アンプを配置した構成を示す図である。
【図１０】ゲインブロック増加時の励起光パワーと光分配器の分岐比との変化を示す図である。
【図１１】ゲインブロック増加時の励起光パワーと光分配器の分岐比との変化を示す図である。
【発明を実施するための形態】
【０００９】
［第１の実施形態］
次に、本発明の実施の形態について図面を参照して詳細に説明する。
図１は、本発明の第１の実施形態の光増幅システムの構成を示す図である。図１は、光増幅システム１００とトランスポンダ収容部との接続構成をも併せて示している。
図１において、光増幅システム１００には、方路＃１〜＃ｎのｎ本の方路が接続されている。そして、光増幅システム１００の出力は、トランスポンダ収容部１２０に入力されている。
図１において、光増幅システム１００は、励起光分配部１１０、ゲインブロック部１０３−１〜１０３−ｎ、及びノード装置制御部１０４を備える。励起光分配部１１０は、励起レーザ光源部１０１、可変分岐部１０２及び励起光分配制御部２０１を備える。
励起レーザ光源部１０１は、ゲインブロック部１０３−１〜１０３−ｎに供給する光増幅のための励起光を発生する励起レーザを備える。励起レーザ光源部１０１は単独の励起レーザにより構成されていてもよく、複数の励起レーザの出力を光カプラなどで結合して出力する構成であってもよい。
可変分岐部１０２は、励起レーザ光源部１０１が出力する励起光を分岐してゲインブロック部１０３−１〜１０３−ｎに分配する。
励起光分配制御部２０１は、ノード装置制御部１０４からの指示に基づいて、励起レーザ光源部１０１および可変分岐部１０２を制御する。
ゲインブロック部１０３−１〜１０３−ｎは、方路＃１〜＃ｎと対応して備えられており、可変分岐部１０２から分配された励起光と各方路から入力された光信号とを合波器で合波し、光信号を増幅媒体で増幅する。そして、ゲインブロック部１０３−１〜１０３−ｎは、増幅された光信号をトランスポンダ収容部１２０に出力する。増幅媒体の例としてはＥＤＦ（Ｅｒｂｉｕｍ  ｄｏｐｅｄ  ｆｉｂｅｒ、エルビウム添加ファイバ）がある。
トランスポンダ収容部１２０は、図７で説明したトランスポンダ収容部７２１に相当する機能を備える。すなわち、トランスポンダ収容部１２０は、光増幅システム１００から入力された波長多重光に含まれる光信号が、波長毎にそれぞれｍ台のトランスポンダ１０７−１〜１０７−ｍ（ｍは正の整数）のいずれかで受信されるように光路を設定する。トランスポンダ収容部１２０は、例えば図８に示したマルチキャストスイッチ及び波長可変フィルタを備えて構成されてもよい。
また、ノード装置制御部１０４は、トランスポンダ収容部１２０を制御する。例えば、トランスポンダ収容部１２０が図８に示したトランスポンダ収容部８０６と同様の構成を備えている場合には、ノード装置制御部１０４は、１×４光スイッチ８０２−１〜８０２−４及び波長可変フィルタ８０３−１〜８０３−４を制御する。具体的には、ノード装置制御部１０４は、所定の波長の光信号が所定のトランスポンダで受信されるようにトランスポンダ収容部１２０を制御する。
なお、トランスポンダ収容部１２０の構成は、複数の方路から波長多重光を受信し、所定の波長の光信号を分離して所定のトランスポンダと接続することが可能な構成であれば、図８で説明した構成に限られない。
図２を用いて光増幅システムの構成をより詳細に説明する。図２は、第１の実施形態の光増幅システムのより詳細な構成を示す図である。
図２において、可変分岐部１０２は、光分配器２０８−１〜２０８−３、光検出器２０４を備える。
光分配器２０８−１〜２０８−３は、入力された光を２分岐する。そして、光分配器２０８−１〜２０８−３の分岐比は、励起光分配制御部２０１からの制御により可変することができる。このような光分配器は、例えば光導波路上にマッハツェンダ干渉計を形成する構成により実現される。マッハツェンダ干渉計を用いた光分配器の原理及び構成はよく知られているので、詳細な説明は省略する。
図２における励起光分配部１１０は、例として励起光を４分配する場合の構成を示している。実際には、可変分岐部１０２では、ゲインブロック数だけの励起光を分配できるように光分配器が構成される。図２に示す励起光を４分岐する構成では、３個の光分配器２０８−１〜２０８−３が使用される。一般に、２ｎ−１個の光分配器２０８をツリー状に接続することで、励起光を２ｎ分岐することができる。
光検出器２０４は、光信号の一部をカプラで分岐し、分岐した光信号の強度をフォトダイオードで検出することにより、可変分岐部１０２の光路の各部の光パワーをモニタする。可変分岐部１０２は複数の光検出器２０４を備えており、いずれの構成も同様である。
ゲインブロック部１０３−１〜１０３−ｎは、能動ファイバ２０６、アイソレータ２０７、光検出器２１４、可変光減衰器（ｖａｒｉａｂｌｅ  ｏｐｔｉｃａｌ  ａｔｔｅｎｕａｔｏｒ、ＶＯＡ）２０３、個別ゲインブロック制御部２０５、光カプラ２０９を備える。
能動ファイバ２０６は、励起光によって光信号を増幅する際の増幅媒体となる光ファイバであり、例えば、ＥＤＦ（Ｅｒｂｉｕｍ  ｄｏｐｅｄ  ｆｉｂｅｒ、エルビウム添加ファイバ）である。アイソレータは反射光による光増幅器の性能低下や発振防止のために用いられる。図２におけるアイソレータの位置及び個数は一例であり、光増幅器の設計条件によってアイソレータの位置及び個数は異なっていてもよい。
光検出器２１４は、可変分岐部１０２が備える光検出器２０４と同様に、カプラで分岐された光信号の強度をフォトダイオードで検出する。ゲインブロック部１０３−１〜１０３−ｎはそれぞれ複数の光検出器２１４を備えており、いずれの光検出器の構成も同様である。これにより、光検出器２１４は、ゲインブロック部１０３−１〜１０３−ｎの光路の各部の光パワーをモニタする。
個別ゲインブロック制御部２０５には、光パワーモニタ用光検出器２１４から光パワーモニタの情報が入力される。
［動作の説明］
図１および図２を用いて本発明の実施の形態の動作を説明する。
図１において、ノード装置制御部１０４は、方路＃１〜＃ｎ、トランスポンダ収容部１２０及びトランスポンダ１０７−１〜１０７−ｍの間の接続設定情報を記憶している。
トランスポンダ収容部１２０が、方路＃１から入力された波長λ１の光信号をトランスポンダ１０７−１が受信するようにノード装置制御部１０４によって制御されている場合について説明する。この場合、ノード装置制御部１０４は、自身が記憶している接続設定情報から、トランスポンダ１０７−１が光信号を受信する場合に動作させるゲインブロックがゲインブロック１０３−１であることを特定する。
特定されたゲインブロック１０３−１に励起光パワーを供給するために、ノード装置制御部１０４は励起光を出力すべき可変分岐部１０２の出力ポートを特定する。そして、波長λ１の信号を増幅するために必要な励起光パワーを算出する。さらに、ノード装置制御部１０４は、可変分岐部１０２の特定された出力ポートの情報と励起光パワーの算出結果とを励起光分配制御部２０１に通知する。
励起光分配制御部２０１は、算出されたパワーの励起光が、特定された励起光出力ポートから出力されるように、励起レーザ光源部１０１および可変分岐部１０２を制御する。可変分岐部１０２において、光分配器２０８−１〜２０８−３は、励起光分配制御部２０１からの指示により分岐比を制御する。
光検出器２０４は、それぞれ可変分岐部１０２の各部の光パワーをモニタして励起光分配制御部２０１に出力する。励起光分配制御部２０１は、光検出器２０４のモニタ結果に基づいて、特定された励起光出力ポートからのみ励起光が出力されるように分岐比可変光分配器２０８の分岐比を制御する。
ここで、光信号が方路＃１からのみ光増幅システム１００に入力される場合には、励起光がゲインブロック１０３−１に対してのみ出力されるように分岐比可変光分配器２０８の分岐比を制御すればよい。励起光分配部の動作については、図３Ａ〜図３Ｃを用いて後に説明する。
次に、励起光分配部１１０から励起光パワーの供給を受けるゲインブロック１０３−１の動作について図２を用いて説明する。
可変分岐部１０２から供給された励起光は、ゲインブロック部１０３−１が備えるＶＯＡ２０３に入力される。ＶＯＡ２０３からの出力パワーは光カプラ２０９を通して入力光信号と合波され、能動ファイバ２０６に入力されて光信号が増幅される。
個別ゲインブロック制御部２０５は、各部の光検出器２１４のモニタの情報に基づいてＶＯＡ２０３を制御する。ＶＯＡ２０３を制御することにより、個別ゲインブロック制御部２０５は、個々のゲインブロックにおいて能動ファイバ２０６に入力される励起光パワーを変化させることができる。励起光パワーを変化させることで、個別ゲインブロック制御部２０５は、ゲインブロック１０３−１の入力光信号と出力光信号との間で利得一定制御（ＡＧＣ：Ａｕｔｏｍａｔｉｃ  Ｇａｉｎ  Ｃｏｎｔｒｏｌ）を行うことができる。あるいは、個別ゲインブロック制御部２０５は出力パワー一定制御（ＡＬＣ：Ａｕｔｏｍａｔｉｃ  Ｌｅｖｅｌ  ＣｏｎｔｒｏｌまたはＡＰＣ：Ａｕｔｏｍａｔｉｃ  Ｐｏｗｅｒ  Ｃｏｎｔｒｏｌ）を行ってもよい。
なお、ノード装置制御部１０４は、ゲインブロック１０３−１のＡＧＣ制御あるいはＡＬＣ制御のパラメータを記憶していてもよい。そして、個別ゲインブロック制御部２０５は、ノード装置制御部１０４との間の通信により受信した当該パラメータに基づいてＶＯＡ２０３を制御してもよい。ＡＧＣ制御あるいはＡＬＣ制御のパラメータとしては、各ゲインブロックの利得、出力パワーの上限値及び下限値が挙げられるが、これらには限られない。
図２に示したゲインブロック１０３−１の構成は、他のゲインブロック１０３−２〜１０３−ｎも同様に備えていてもよい。そして、ゲインブロック１０３−１〜１０３−ｎが可変光減衰器２０３、光検出器２１４及び個別ゲインブロック制御部２０５を備えることにより、各々のゲインブロック１０３−１〜１０３−ｎ内で閉じた帰還制御が可能になる。帰還制御がゲインブロック内で閉じたループで行われる結果、各々のゲインブロック１０３−１〜１０３−ｎにおいて極めて高速なＡＧＣ制御あるいはＡＬＣ制御が可能となる。
図３Ａ〜図３Ｃは、第１の実施形態の光増幅システムの励起光分配部の動作を示す図である。図３Ａは、励起光が１台のゲインブロック（ゲインブロック１０３−１）に対してのみ出力される場合の可変分岐部１０２の構成を示す。図３Ａでは、３個の光分配器２０８−１〜２０８−３が用いられた可変分岐部１０２において、励起光分配制御部２０１は、ゲインブロック１０３−１に接続された光路側に励起光が１００％分岐されるように光分配器２０８−１及び２０８−２を制御する。その結果、励起レーザ光源の光出力が２００ｍＷである場合、光分配器２０８の通過損失を無視すると、ポートＡに２００ｍＷの励起光パワー全てが出力される。
続いて、波長λ１の光信号と同一の方路の光信号に、波長λ２の光信号がさらに加わる場合の動作について説明する。
ゲインブロック１０３−１に励起光パワーを供給するために、ノード装置制御部１０４は、励起光分配制御部２０１に対して、可変分岐部１０２が励起光を出力すべきポートを特定する。そして、ノード装置制御部１０４は、波長λ１およびλ２の光信号を増幅するために必要な励起光パワーを算出し、可変分岐部１０２の特定された出力ポートの情報と励起光パワーの算出結果とを励起光分配制御部２０１に通知する。
この場合、同一の方路に波長の異なる信号が加わるだけであるので、励起光分配制御部２０１は励起光の出力ポートを変更せず、必要な励起光パワーのみを増加させる。すなわち、励起光分配制御部２０１は、可変分岐部１０２の分岐比を図３Ａに示した状態のまま変更しない。そして、励起光分配制御部２０１は、ノード装置制御部１０４からの指示に従い、所定の励起光パワーを出力するように励起レーザ光源部１０１を制御する。例えば、励起光分配制御部２０１は、図３Ａにおいては２００ｍＷである励起光パワーを４００ｍＷに増加させる。その他の動作はすでに説明した波長λ１の場合の動作と同様である。
続いて、図３Ｂ、図３Ｃを用いて、複数のゲインブロックを動作させる場合の励起光分配制御部２０１の動作について説明する。
方路＃１から入力された波長λ１の光信号をゲインブロック１０３−１が増幅している場合において、さらに、方路＃２から波長λ１の光信号が入力され、トランスポンダ１０７−２で受信されるようになる場合を想定する。この場合、ゲインブロック１０３−２が、方路＃２から入力された波長λ１の光信号を増幅することになる。なお、方路＃２から入力された光信号の波長はλ１である必要はなく、他の波長でもよい。
ノード装置制御部１０４は、方路＃２から入力された光信号がトランスポンダ収容部１２０を経由してトランスポンダ１０７−２に接続されることを接続設定情報として記憶している。ノード装置制御部１０４は、この接続設定情報から、新たに動作させるゲインブロックが１０３−２であることを特定する。そして、特定されたゲインブロック１０３−２に励起光パワーを供給するために、ノード装置制御部１０４は、励起光分配制御部２０１に対して、励起光を出力すべき可変分岐部１０２のポートを特定する。さらに、ノード装置制御部１０４は、ゲインブロック１０３−２が波長λ１の信号を増幅するために必要な励起光パワーを算出する。そして、ノード装置制御部１０４は、特定された励起光出力ポートの情報と励起光パワーの算出結果とを、励起光分配制御部２０１に通知する。
励起光分配制御部２０１は、新たに特定された励起光出力ポートに所定の励起光パワーが出力されるように、励起レーザ光源部１０１および可変分岐部１０２を制御する。可変分岐部１０２は、分岐比可変光分配器２０８の分岐比を、光パワーモニタ用光検出器２０４による光パワーのモニタ結果を用いて、特定された励起光出力ポートから励起光パワーが出力されるように制御する。
励起光分配部１１０は、励起レーザ光源部１０１および可変分岐部１０２を制御して、所定の励起光パワーをゲインブロック１０３−１及び１０３−２に供給する。
この場合、光増幅システム１００がゲインブロック１０３−２に対して新たに励起光パワーを供給する際に、方路＃１の光信号に与える影響が少ないことが望ましい。このため、光増幅システム１００は、すでにゲインブロック１０３−１に対して供給している励起光パワーを一定に保ちながら、新たにゲインブロック１０３−２に対して所定の励起光パワーを供給するようにしてもよい。
より具体的には、励起光分配部１１０は、可変分岐部１０２内で各ゲインブロックへの励起光出力パワーをモニタし、励起レーザ光源部１０１における励起光パワーおよび可変分岐部１０２における分岐比を制御する。
図３Ｂは、励起光が２台のゲインブロック（ゲインブロック１０３−１及び１０３−２）に出力される場合の可変分岐部１０２の構成を示す。図３Ｂでは、励起光分配制御部２０１は、可変分岐部１０２の出力ポートＡ、Ｂにそれぞれゲインブロック１０３−１及び１０３−２が接続されているものとする。そして、励起光分配制御部２０１は、ポートＡ及びＢに励起光が５０％ずつ分岐するように光分配器２０８−２を制御する。
図１０は、ゲインブロック増加時の励起光パワーと光分配器２０８−２の分岐比との変化を示す図である。図１０において、ゲインブロック１０３−２への励起光パワーの供給の際には、励起レーザ光源部１０１の励起光パワーを増加させるとともに、図３Ｂにおける分岐２０８−２のポートＡ側への分岐比を減少させポートＢ側への分岐比を増大させる。
ここで、光分配器２０８−２のポートＡ側への分岐比と光分配器２０８−２に入力される励起光パワーとの積を一定に保ちながら励起光パワーと光分配器の分岐比とを変化させることで、ポートＡから出力される励起光パワーが一定に保たれる。その結果、ゲインブロック１０３−１への励起光パワーを変化させることなく、新たにゲインブロック１０３−２に励起光パワーを供給できるようになる。最終的には、図３Ｂに示すように、励起光源１０１の光出力は２００ｍＷから４００ｍＷに増加し、光分岐２０８−２の分岐比は５０％：５０％となる。そして、励起光分配部１１０は、ゲインブロック１０３−１及び１０３−２に対して、それぞれ２００ｍＷの励起光パワーを出力する。
なお、ゲインブロック１０３−１及び１０３−２への励起光パワーは、同一である必要はない。それぞれのゲインブロックの特性のばらつきにより、必要な励起光パワーはゲインブロックにより異なる場合がある。このため、ノード装置制御部１０４は、使用するゲインブロックの増幅特性に関する情報にも基づいて各ゲインブロックに出力する励起光パワーを算出し、その結果を励起光分配制御部２０１に出力してもよい。
励起光分配部１１０から励起光パワーの供給を受けるゲインブロック１０３−２の動作については、すでに説明したゲインブロック１０３−１の動作と同様である。またゲインブロック１０３−２において、波長λ１の光信号に加えて、同一のゲインブロックで増幅する波長λ２の光信号をさらに加えた場合の動作についても、すでに説明した動作と同様である。
図３Ｃを用いて、さらに、ゲインブロック１０３−１及び１０３−２に加えてゲインブロック１０３−３に対して励起光を分配する動作について説明する。
方路＃１、＃２から入力された波長λ１の光信号をゲインブロック１０３−１及び１０３−２が増幅している場合において、さらに、方路＃３から波長λ１の光信号が入力され、トランスポンダ１０７−３で受信されるようになる場合を想定する。この場合、ゲインブロック１０３−３が、方路＃３から入力された波長λ１の光信号を増幅することになる。なお、方路＃２から入力された光信号の波長はλ１である必要はなく、システムで規定された他の波長でもよい。
ノード装置制御部１０４は、方路＃３から入力された光信号がトランスポンダ収容部１２０を経由してトランスポンダ１０７−３に接続されることを接続設定情報として記憶している。ノード装置制御部１０４は、この接続設定情報から、新たに動作させるゲインブロックが１０３−３であることを特定する。そして、特定されたゲインブロック１０３−３に励起光パワーを供給するために、励起光分配制御部２０１に対して、励起光を出力すべき可変分岐部１０２のポートを特定し、ゲインブロック１０３−３が新たな光信号を増幅するために必要な励起光パワーを算出する。そして、ノード装置制御部１０４は、可変分岐部１０２の特定された出力ポートの情報と励起光パワーの算出結果とを、励起光分配制御部２０１に通知する。
励起光分配制御部２０１は、特定された励起光出力ポートに所定の励起光パワーが出力されるように励起レーザ光源部１０１および可変分岐部１０２を制御する。可変分岐部１０２は、分岐比可変光分配器２０８−１〜２０８−３の分岐比を、それぞれの光パワーモニタ用光検出器２０４による光パワーのモニタ結果を用いて、特定された励起光出力ポートから励起光パワーが出力されるように調節される。
この場合、光増幅システム１００は、すでにゲインブロック１０３−１及び１０３−２に対して供給している励起光パワーを一定に保ちながら、新たにゲインブロック１０３−３に対して所定の励起光パワーを供給できることが好ましい。このため、励起光分配部１１０は、励起レーザ光源部１０１および可変分岐部１０２を制御して、所定の励起光パワーをゲインブロック１０３−１〜１０３−３に供給する。
より具体的には、励起光分配部１１０は、可変分岐部１０２内で各ゲインブロックへの励起光出力パワーをモニタし、励起レーザ光源部１０１における励起光パワーおよび可変分岐部１０２における分岐比を制御する。
図３Ｃは、励起光が３台のゲインブロック（ゲインブロック１０３−１〜１０３−３）に出力される場合を示す。図３Ｃでは、励起光分配制御部２０１は、可変分岐部１０２の出力ポートＡ、Ｂ、Ｃにそれぞれゲインブロック１０３−１、１０３−２及び１０３−３が接続されているものとする。そして、励起光分配制御部２０１は、ポートＡ、Ｂ、Ｃに励起光を１／３ずつ分岐するように光分配器２０８−１〜２０８−３を制御する。
図１１は、ゲインブロック増加時の励起光パワーと光分配器２０８−１の分岐比との変化を示す図である。図１１において、ゲインブロック１０３−３への励起光パワーの供給の際には、励起光分配制御部２０１は、励起光源１０１の励起光パワーを図３Ｂの場合と比べてさらに増加させる。同時に、励起光分配制御部２０１は、分岐２０８−１のポートＡ、Ｂ側への分岐比を減少させポートＣ側への分岐比を増大させる。
ここで、励起光分配制御部２０１は、光分配器２０８−１のポートＡ，Ｂ側への分岐比と励起光源の励起光パワーとの積を一定に保ちながら励起光パワーと光分配器２０８−１の分岐比とを変化させる。これにより、ポートＡ、Ｂから出力される励起光パワーが一定に保たれる。その結果、ゲインブロック１０３−１及び１０３−２への励起光パワーを変化させることなく、新たにゲインブロック１０３−３に励起光パワーを供給できるようになる。なお、光分岐２０８−３にはポートＣを経由してゲインブロック１０３−３のみが接続されるので、光分岐２０８−３は、ポートＣ側に１００％分岐する設定としてよい。
最終的には、図３Ｃに示すように、励起光源１０１の光出力は６００ｍＷに増加し、光分岐２０８−１の分岐比は６６％（ポートＡ，Ｂ側）：３３％（ポートＣ側）となる。その結果、励起光分配部１１０は、ゲインブロック１０３−１〜１０３−３に対して、それぞれ２００ｍＷの励起光パワーを出力する。
なお、ゲインブロック１０３−１〜１０３−３への励起光パワーは、図３Ｂでも説明したように、同一である必要はない。ノード装置制御部１０４は、使用するゲインブロックの増幅特性に関する情報を記憶し、その情報にも基づいて各ゲインブロックに出力する励起光パワーを算出し、励起光分配制御部２０１に出力してもよい。
励起光分配部１１０から励起光パワーの供給を受けるゲインブロック１０３−３の動作については、すでに説明したゲインブロック１０３−１及び１０３−２の動作と同様である。またゲインブロック１０３−１〜１０３−３において、波長λ１の光信号に加えて、同一のゲインブロックで増幅する波長λ２の光信号をさらに加えた場合の動作についても、すでに説明した動作と同様である。
上記のような構成及び作用により、第１の実施形態の光増幅システムは、稼働中のゲインブロックへの励起光パワーを一定に保ったまま、波長数が増加するゲインブロックに対する励起光パワーを増加させることができる。
なお、第１の実施形態の光増幅システムにおいては、稼働中のゲインブロックで使用される波長数が減少する場合でも、分岐比と励起光パワーとを制御することにより、当該ゲインブロックに対する励起光パワーのみを減少させることも可能となる。
以上説明したように、第１の実施形態の光増幅システムは、励起光源が出力する励起光を可変分岐部で分配して複数のゲインブロックに供給している。励起光は、増幅を行うゲインブロックに対してのみ供給される。そして、供給される励起光パワーは、各ゲインブロックで増幅する光信号に応じて決定される。
すなわち、第１の実施形態の光増幅システムは、励起光源をゲインブロック毎に備えておく必要がなく、励起光源の配置数を減らして集約することができる。また、励起光源を集約して配置することにより、励起光源の制御回路の消費電力を低減することができる。
例えば、高速な波長設定や波長切替を実現するためには、被増幅光信号の有無に関わらず、全ての光増幅器の励起レーザの発振波長を所定の波長に安定させるための温度調節機能を動作させておく必要がある。第１の実施形態の光増幅システムは、このような場合でも、励起光源を集約して配置することにより、励起光源の制御回路の消費電力を低減することができる。
その結果、第１の実施形態の光増幅システムは、光増幅器が設置された光増幅システムのコスト及び消費電力を低減するという効果を奏する。
さらに、第１の実施形態の光増幅システムにおいては、各々のゲインブロックは、可変光減衰器、光検出器及び個別ゲインブロック制御部を備える。個別ゲインブロック制御部は、ＶＯＡを用いて、各ゲインブロックに入力される励起光パワーを変化させている。これにより、第１の実施形態の光増幅システムは、各々のゲインブロック内で極めて高速なＡＧＣ制御あるいはＡＬＣ制御が可能となるという効果も奏する。
なお、励起光分配制御部２０１及び個別ゲインブロック制御部２０５は、それぞれにＣＰＵ（ｃｅｎｔｒａｌ  ｐｒｏｃｅｓｓｉｎｇ  ｕｎｉｔ、中央処理装置）及びメモリを備え、ＣＰＵは、メモリに記憶したプログラムに基づいて上記の制御を行ってもよい。
次に、第１の実施形態において、励起光分配部１１０のみの構成によっても、本発明の目的を達することが可能であることを説明する。
図１において、励起光分配部１１０は、励起レーザ光源部１０１、可変分岐部１０２及び励起光分配制御部２０１を備える。
励起光分配制御部２０１は、外部から入力された励起光を出力する可変分岐部１０２のポートの情報及び励起光のパワーの情報に基づいて、励起レーザ光源部１０１および可変分岐部１０２を制御する。具体的には、励起光分配制御部２０１は、入力されたパワーの励起光が、可変分岐部１０２の指定されたポートから出力されるように、励起レーザ光源部１０１および可変分岐部１０２を制御する。
以上の構成を備えた励起光分配部１１０は、可変分岐部１０２及び励起光分配制御部２０１の作用により、増幅を行うゲインブロックに対してのみ励起光を供給するようにすることができる。そして、励起光分配部１１０は、励起レーザ光源部１０１及び励起光分配制御部２０１の作用によって、各ゲインブロックで増幅する光信号の情報に基づいて、出力する励起光パワーを決定することができる。
その結果、励起光分配部１１０を用いることにより、光増幅システムにおいて励起光源をゲインブロック毎に備えておく必要がなく、励起光源の配置数を減らして集約することができる。また、励起光源を集約して配置することにより、励起光源の制御回路の消費電力を低減することができる。
すなわち、励起光分配部１１０のみの構成によっても、光増幅システムのコスト及び消費電力を低減するという課題が解決される。
［第２の実施形態］
図４は、本発明の光増幅システムの第２の実施形態の構成を示す図である。第２の実施形態の光増幅システムは、第１の実施形態で説明したゲインブロック１０３−１〜１０３−ｎ及び励起光分配部１１０を備えるブロックを１つのサブ増幅ブロック４０１としている。そして、サブ増幅ブロック４０１をトランスポンダ４０２あるいはトランスポンダ収容部４０３の増減に応じて増設または減設し、ノード装置制御部１０４で一括して制御している。ゲインブロック１０３−１〜１０３−ｎ及び励起光分配部１１０をサブブロック化することで、光増幅システムを多数の方路を備えたシステムに適用する場合でも、第２の実施形態の光増幅システムは、励起光源部に必要な最大励起光パワーおよび可変分岐部の分岐数を小さく抑えることができる。
その結果、第２の実施形態の光増幅システムは、第１の実施形態の光増幅システムの効果に加えて、装置規模に応じてコストを低く抑えることができるという効果をも奏する。
［第３の実施形態］
図５は、本発明の光増幅システムの第３の実施形態の構成を示す図である。第３の実施形態においては、複数の方路＃１〜＃８がカプラ５０１でさらに４分配される。また、カプラ５０１とトランスポンダ収容部５０５との間に光増幅システム５０２が配置されている。
図５において、カプラ５０１は、８本の方路に対して１台ずつ、合計８台配置されている。そして、光増幅システム５０２は、カプラ５０１の分岐側と、トランスポンダ収容部５０５との間に配置されている。図５においては、光増幅システム５０２は、異なる１×４カプラの分岐側のポートを８ポートずつ収容する。
なお、第３の実施形態ではカプラ５０１の分岐側ポートにそれぞれ光増幅システム５０２が接続された構成が想定されている。しかし、図５においては、図を簡潔にするために、カプラ５０１の分岐側の１ポートについてのみ、光増幅システム５０２、トランスポンダ収容部５０５及びトランスポンダ５０６が接続された構成が記載されている。
光増幅システム５０２は、励起光分配部５０４及び８台のゲインブロック５０３を備える。各ゲインブロック５０３は、図１で説明したゲインブロック１０３−１と同様の構成及び機能を備える。励起光分配部５０４は、ノード装置制御部５０７から入力された情報に従い、各ゲインブロック５０３に供給する励起光パワーを制御する。
トランスポンダ収容部５０５は、それぞれ異なるカプラ５０１から分岐されて各ゲインブロックで増幅された８方路の波長多重光信号を波長毎に分離し、トランスポンダ５０５のうち所定のトランスポンダに出力されるように入出力の光路を設定する。
光増幅システム５０２をカプラの合流側に配置した場合、光増幅システムが故障すると、カプラ５０１配下のすべてのトランスポンダとの通信に影響が及んでしまう。しかし、光増幅システム５０２をカプラの分岐側に配置することで、光増幅システム５０２をカプラの合流側に配置する構成と比較して、光増幅システムが故障した場合のトランスポンダ側への影響を低減することができる。なぜならば、光増幅システム５０２を図５のようにカプラの分岐側に配置した場合、光増幅システムの故障の際の影響範囲はトランスポンダ収容部５０５配下のトランスポンダのみに限定されるからである。
また、第２の実施形態で説明した、ゲインブロックをサブブロック化する構成を第３の実施形態に適用してもよい。これにより、第３の実施形態の光増幅システムも、装置規模に応じてコストを低く抑えることができるという効果を奏する。
また、第１〜第３の実施形態においては、ＲＯＡＤＭノードにおいて、Ｄｒｏｐされた波長多重信号を複数の方路から受信する形態について説明した。しかしながら、これらの実施形態の構成を、波長多重信号を伝送路にＡｄｄする構成に適用してもよい。すなわち、トランスポンダが送信する光信号がトランスポンダ収容部を経由して伝送路にＡｄｄされる場合に、トランスポンダ収容部は、送信する光信号を増幅して増幅した光信号を方路に出力するように光増幅システムを構成してもよい。この構成は、第１〜第３の実施形態において、トランスポンダが送信した光信号をトランスポンダ収容部が受信して出力し、その出力を光増幅システムが増幅して方路に出力するように構成することで実現できる。
以上、本発明の光増幅システムを波長多重通信システムに適用した実施形態について説明した。しかし、各実施の形態における波長数、伝送路及び方路の本数、トランスポンダ収容部の収容数は各実施形態を説明するための一例であって、本発明の構成は上記の実施形態によって限定されない。また、第１〜第３の実施形態のＲＯＡＤＭノードの構成は、非特許文献１に示すマルチキャストスイッチを用いた構成にも限定されない。
さらに、以上の実施の形態の適用領域は、波長多重通信システムに限定されるものではない。第１〜第３の実施形態は、光アンプが多数配備されていながら、実際に増幅される波長数の総数が少ない場合についても適用が可能である。
なお、上記の第１及び第２の実施形態の一部又は全部は、以下の付記のようにも記載されうるが、以下には限られない。
（付記１）励起光を出力する励起光源出力手段と、励起光を分岐して出力する、分岐比が可変である光分岐手段と、光分岐手段が出力する励起光によって増幅される光信号の情報に基づいて、光分岐手段の分岐比及び励起光源出力手段の光出力電力の少なくとも一方を制御する制御手段と、を備えた励起光分配装置。
（付記２）制御手段は、光分岐手段が出力する励起光により増幅される光信号の数及び光信号が伝送される光路の情報に基づいて、光分岐手段の分岐比及び励起光源出力手段の光出力電力の少なくとも一方を制御することを特徴とする、付記１に記載された励起光分配装置。
（付記３）光分岐手段は、光分岐手段から出力される励起光の電力をモニタして励起光の強度に対応する励起光モニタ信号を出力する励起光モニタ手段を備え、制御手段は、励起光モニタ信号に基づいて励起光源出力手段が出力する励起光の電力及び光分岐手段の分岐比を制御する、付記１又は２に記載された励起光分配装置。
（付記４）付記１乃至３のいずれかに記載された励起光分配装置と、光信号及び励起光分配装置から出力される励起光を入力することによって光信号を増幅して出力する増幅手段と、を備えた光増幅システム。
（付記５）光信号が伝送される光路毎に増幅手段が備えられている、付記４に記載された光増幅システム。
（付記６）増幅手段に入力される励起光の強度を減衰させる光減衰手段と、光減衰手段の減衰量を制御するゲインブロック制御手段と、をさらに備える、付記４又は５に記載された光増幅システム。
（付記７）増幅手段の出力における光信号の強度をモニタして光信号の強度に対応する光モニタ信号を出力する光信号モニタ手段をさらに備え、ゲインブロック制御手段は、光モニタ信号に基づいて光減衰手段の減衰量を制御する、付記４乃至６のいずれかに記載された光増幅システム。
（付記８）入力された光信号を増幅する付記４乃至７のいずれかに記載された光増幅システムと、光増幅システムによって増幅された光信号を波長毎に分離して所定の光路に出力するトランスポンダ収容部と、を備えるノード装置。
（付記９）光送信手段から出力される光信号を波長多重して所定の光路に出力するトランスポンダ収容手段と、所定の光路に出力された光信号を増幅する付記４乃至７のいずれかに記載された光増幅システムと、を備えるノード装置。
（付記１０）励起光を分岐して出力し、分岐して出力された励起光によって増幅される光信号の情報に基づいて、励起光の分岐比及び励起光の光出力電力の少なくとも一方を制御する、励起光分配方法。
（付記１１）励起光を出力する励起光源出力手段の光出力電力と前記励起光を分岐して出力し分岐比が可変である光分岐手段の前記分岐比との少なくとも一方を前記励起光によって増幅される光信号の情報に基づいて制御する制御手段を、励起光分配装置のコンピュータに制御させるための、励起光分配装置のプログラム。
以上、実施形態を参照して本願発明を説明したが、本願発明は上記実施形態に限定されものではない。本願発明の構成や詳細には、本願発明のスコープ内で当業者が理解し得る様々な変更をすることができる。
この出願は、２０１０年１０月２２日に出願された日本出願特願２０１０−２３７６０９を基礎とする優先権を主張し、その開示の全てをここに取り込む。
【符号の説明】
【００１０】
１００  光増幅システム
１０１  励起レーザ光源部
１０２  可変分岐部
１０３−１〜１０３−ｎ  ゲインブロック部
１０４  ノード装置制御部
１０７−１〜１０７−ｍ  トランスポンダ
１１０  励起光源分配部
１２０  トランスポンダ収容部
２０１  励起光分配制御部
２０３  可変光減衰器（ＶＯＡ）
２０４、２１４  光検出器
２０５  個別ゲインブロック制御部
２０６  能動ファイバ
２０７  アイソレータ
２０８−１〜２０８−３  分岐比可変光分配器
２０９  光カプラ
４０１  サブ増幅ブロック
４０２  トランスポンダ
４０３  トランスポンダ収容部
５０１  カプラ
５０２  光増幅システム
５０３  ゲインブロック
５０４  励起光分配部
５０５  トランスポンダ収容部
５０６  トランスポンダ
５０７  ノード装置制御部
６０１、６０３、６０４  ＲＯＡＤＭノード
６０２  光ファイバ伝送路
６０６  トランスポンダ
７０１、７１１  伝送路
７２１、７２２  トランスポンダ収容部
７２３  波長パス・ライン多重分離部
７３２  制御部
７５１  トランスポンダ
７６１、７７１  方路
８０１−１〜８０１−４  １×４スプリッタ
８０２−１〜８０２−４  ４×１スイッチ
８０３−１〜８０３−４  波長可変フィルタ
８０４−１〜８０４−４  トランスポンダ
８０５  マルチキャストスイッチ
８０６  トランスポンダ収容部
９０７−１〜９０７−４  光アンプ
【図１】
2012053320.tif 000003
【図２】
2012053320.tif 000004
【図３Ａ】
2012053320.tif 000005
【図３Ｂ】
2012053320.tif 000006
【図３Ｃ】
2012053320.tif 000007
【図４】
2012053320.tif 000008
【図５】
2012053320.tif 000009
【図６】
2012053320.tif 000010
【図７】
2012053320.tif 000011
【図８】
2012053320.tif 000012
【図９】
2012053320.tif 000013
【図１０】
2012053320.tif 000014
【図１１】
2012053320.tif 000015
【国際調査報告】
2012053320.tif 000016
2012053320.tif 000017
2012053320.tif 000018
2012053320.tif 000019